(57)【要約】【課題】円滑な監視や制御を行うことができるプラント監視制御装置を得る。【解決手段】機器故障等のイベントが発生して画面遷移が必要なとき、制御部２は液晶パネル４上に表示された第１及び第２ウィンドウのイメージ画面（表示状態、位置、大きさ等の情報）を記憶部３に記憶させるとともに、キーボード７等による入力途中の入力データがあれば当該入力データ画面も併せて記憶させてから発生イベントに対応する他の設備画面に遷移し、必要な処理が終了すると、オペレータがボタンを操作して画面復帰指令を出し、制御部２が記憶部３に記憶されたデータに基づき、第１ウィンドウ及び第２ウィンドウのイメージ画面を遷移前と同じ状態に完全に復元するとともに、入力途中であった入力データ画面も復元する。【選択図】図１
2016151789.tif 000002
【特許請求の範囲】
【請求項１】
表示部と制御部と記憶部と入力部とを備えたプラント監視制御装置であって、
前記表示部は、プラントの設備に関するイメージ情報をイメージ画面として表示するとともに前記入力部から入力され前記設備に与える入力データを入力データ画面として表示するものであり、
前記制御部は、イベントが発生して前記表示部に表示される画面が別画面に遷移するとき前記表示部に表示されている前記イメージ画面及び前記入力データ画面を前記記憶部に記憶させるとともに前記別画面から前記遷移前に表示されていた前記画面に戻るとき前記記憶部に記憶された前記イメージ画面及び前記入力データ画面を前記表示部に復元するものである
プラント監視制御装置。
【請求項２】
前記表示部と前記制御部と前記記憶部と前記入力部とが可搬又は携帯可能に一体に形成されたものである
請求項１に記載のプラント監視制御装置。
【発明の詳細な説明】
【技術分野】
【０００１】
本発明は、プラント監視制御装置に関する。
【背景技術】
【０００２】
従来のプラント監視制御装置としてのプラント監視制御用マンマシン装置として、イベント発生による他の画面への自動遷移後、遷移前の画面に戻る場合、一つ前の画面に戻るボタンを画面上に表示しておき、そのボタンを選択することにより元の画面に戻るものが知られている（特許文献１参照）。
【先行技術文献】
【特許文献】
【０００３】
【特許文献１】特開平９−９１０３０号公報（段落番号００３５〜００３８、図９及び図１０）
【発明の概要】
【発明が解決しようとする課題】
【０００４】
従来のプラント監視制御用マンマシン装置は以上のように構成され、遷移前の画面に戻る場合、一つ前の画面に戻るボタンを画面上に表示しておき、そのボタンを選択することにより元の画面に戻るようにされている。しかし、遷移前の画面の状態特に入力途中の状態を保存する機能がないために、元の画面に戻ろうとしたとき初期状態の画面になってしまう。よって遷移前の画面の状態を復元するために、手動で再操作を行わなくてはならず、数字や文字列の再入力、画面位置の修正など画面操作を繰り返す必要があり、円滑な監視や制御を行うことができないという問題点があった。
【０００５】
この発明は前記のような問題点を解決するためになされたものであり、円滑な監視や制御を行うことができるプラント監視制御装置を得ることを目的とする。
【課題を解決するための手段】
【０００６】
この発明に係るプラント監視制御装置においては、
表示部と制御部と記憶部と入力部とを備えたプラント監視制御装置であって、
前記表示部は、プラントの設備に関するイメージ情報をイメージ画面として表示するとともに前記入力部から入力され前記設備に与える入力データを入力データ画面として表示するものであり、
前記制御部は、イベントが発生して前記表示部に表示される画面が別画面に遷移するとき前記表示部に表示されている前記イメージ画面及び前記入力データ画面を前記記憶部に記憶させるとともに前記別画面から前記遷移前に表示されていた前記画面に戻るとき前記記憶部に記憶された前記イメージ画面及び前記入力データ画面を前記表示部に復元するものである。
【発明の効果】
【０００７】
この発明に係るプラント監視制御装置は、イベントが発生して表示部に表示される画面が別画面に遷移するとき表示部に表示されているイメージ画面及び入力データ画面を記憶部に記憶させるとともに別画面から遷移前に表示されていた画面に戻るとき記憶部に記憶されたイメージ画面及び入力データ画面を表示部に復元するものであるので、円滑な監視や制御を行うことができるプラント監視制御装置を得ることができる。
【図面の簡単な説明】
【０００８】
【図１】この発明の実施の形態１であるプラント監視制御装置の構成を示す構成図である。
【図２】図１の画面の構成を示す説明図である。
【図３】画面の構成を示す説明図である。
【図４】動作を説明するためのフローチャートである。
【図５】実施の形態２である監視制御装置の構成を示す構成図である。
【発明を実施するための形態】
【０００９】
実施の形態１．
図１〜図４は、この発明を実施するための実施の形態１を示すものであり、図１はプラント監視制御装置の構成を示す構成図、図２は画面の構成を示す説明図、図３は設備画面の構成を示す説明図、図４は動作を説明するためのフローチャートである。これらの図において、プラント監視制御装置（以下、単に監視制御装置と称する)１は、制御部２、記憶部３、表示部としての液晶パネル４、入力部としてのキーボード７を有する。監視制御装置１に個別制御装置９が接続されている。監視制御装置１は、例えば上下水道施設の敷地内外に分散している設備の状態を液晶パネル４に選択的に画面表示させて監視制御を行うために用いられる。オペレータは、監視制御装置１の液晶パネル４に表示される画面１００(図２）上で監視操作を行うが、画面１００は図２に示すように階層構造を有し、最上階の基本画面１０１、次の階の設備グループ画面１１１〜１１３、その下層が設備画面１２１〜１２３，・・    ，１３１〜１３３となっている。
【００１０】
設備画面１２１は、図３に示すように、画面左方にメニューバー１１、メニューバー１１上に配置された一つ前の画面に戻るボタン１２、第１ウィンドウ１３、第１ウィンドウ１３内に表示されるイメージ画面１４、同じく第１ウィンドウ１３内に表示される出力データ画面１５、第２ウィンドウ１７、第２ウィンドウ１７内に表示されるイメージ画面１８、同じく第２ウィンドウ１７内に表示される入力データ画面１９を有する。イメージ画面１４は例えば取水系統図、出力データ画面１５には出力される出力データ及び出力テキストデータとしての数値又は文字列である取水ポンプの流量が表示される。イメージ画面１８は例えば送水系統図、入力データ画面１９にはキーボード７（図１）から入力される入力データ及び入力テキストデータとしての数値又は文字列である送水ポンプの圧力が表示される。当該圧力は、例えば送水圧力を１．０５Ｍｐａに設定する場合、キーボード７から「１．０５」が入力され表示される。なお、設備画面１３２〜１３３についても同様の構成を有する。
【００１１】
次に動作について説明する。基本的な動作としては、例えばオペレータが設備画面１２１上で機器の操作や入力データとして設定値を入力する等の作業中に別の設備で機器故障等のイベントが発生し、そのイベントが予め当該イベントに関連して登録してある別画面としての設備画面１３３（図２）に関連するものであれば、設備状態を迅速に確認するために設備画面１３３へ自動遷移する。オペレータが設備画面１３３での処理を終了し、自動遷移前の設備画面１２１に戻って作業途中であった作業を再開するために、一つ前に戻るボタン１２を操作する。
【００１２】
さらに、詳細な動作を図４のフローチャートにより説明する。イベント発生前の設備画面１２１は、上述の図３の状態にあり、送水ポンプの指令圧力が入力途中で「１．０５」Ｍｐａのうち「１」まで入力されていたとする。このとき、機器故障等のイベントが発生して画面遷移が必要な場合（ステップＳ１１）、制御部２は指令を発して第１ウィンドウ１３及び第２ウィンドウ１７の各イメージ画面１４，１８（その表示状態、位置、大きさ等）を記憶部３に記憶させる（ステップＳ１２）。次に、第２ウィンドウ１７の入力データ画面１９にキーボード７等からの入力データの有無を確認し（ステップＳ１３）、あれば当該入力データ（例えば、「１」）を入力データ画面（テキストデータ画面）として記憶する（ステップＳ１４）。
【００１３】
その後発生イベントに対応する他の設備画面１２２〜１３３のいずれかに自動遷移する（ステップＳ１５）。自動遷移した設備画面での処理が終了し、オペレータが一つ前の画面に戻るためにボタン１２を操作し画面復帰指令が出されると（ステップＳ１６）、制御部２は記憶部３に記憶されたデータに基づき、第１ウィンドウ１３のイメージ画面１４及び第２ウィンドウ１７のイメージ画面１８を遷移前と同じ状態に完全に復元する（ステップＳ１７）。併せて、入力途中であった入力データ画面１９（例えば「１」）を復元する（ステップＳ１８）。なお、出力データ画面１５は、元の画面に復帰したときの最新の出力データに自動更新される。イメージ画面が動的な場合も同様に元の画面に復元した後直ちに最新の画面に更新される。プラントの制御は、液晶パネル４に表示される画面に関係なく実行されているためである。
【００１４】
これにより、第１ウィンドウ１３及び第２ウィンドウ１７の各イメージ画面１４、１８が完全に復元されるとともに、入力途中であった入力データ画面１９も復元されるので、遷移前の設備画面１２１上における表示の確認や入力途中であった入力データの続き、例えば続きの「．０５」を入力して「１．０５」に設定することができ、入力途中の入力データを再度入力することを要せず、円滑な監視や制御を行うことができる。
【００１５】
実施の形態２．
図５は、実施の形態２である監視制御装置の構成を示す構成図である。この実施の形態は、図１の監視制御装置を携帯可能なタブレット端末２０にて実現したものである。タブレット端末２０は、タッチ液晶パネル２１、内蔵されたマイク２２、同じく加速度センサ２３を有し、これらが携帯可能に一体に形成されたものである。なお、図１における制御部２及び記憶部３と同様の制御部及び記憶部を有しているが、図示を省略している。
【００１６】
この場合は、画面の操作はタッチ液晶パネル２１のスワイプ操作、マイク２２への音声入力、タブレット端末２０を振ることにより加速度センサ２３に加速度を与える動作等によっても、図３のボタン１２の操作によるのと同様の画面復帰指令を与えることができる。なお、タブレット端末２０の代わりにノートパソコンタイプの可搬形のもので監視制御装置を実現してもよい。
【００１７】
なお、本発明は、その発明の範囲内において、上述した各実施の形態を自由に組み合わせたり、各実施の形態を適宜、変更、省略したりすることが可能である。
【符号の説明】
【００１８】
１  監視制御装置、２  制御部、３  記憶部、４  液晶パネル、７  キーボード、
１２１  設備画面、１４  イメージ画面、１８  イメージ画面、１９  入力データ画面、２０  タブレット端末、２１  タッチ液晶パネル。
【図１】
2016151789.tif 000003
【図２】
2016151789.tif 000004
【図３】
2016151789.tif 000005
【図４】
2016151789.tif 000006
【図５】
2016151789.tif 000007